【手続補正書】
【提出日】平成28年4月5日(2016.4.5)
【手続補正１】
【補正対象書類名】明細書
【補正対象項目名】００１１
【補正方法】変更
【補正の内容】
【００１１】
前記課題を解決するために、本発明のネイルプリント装置は、
爪に印刷を施すネイルプリント装置であって、
印刷する爪を含む一つの特定の指を、予め設定された互いに異なる複数の方向から撮影して、前記爪の形状に関する爪情報を検出するための、前記爪に対応する複数の爪画像を取得する撮像装置と、
前記撮像装置に対して一定の位置に設けられ、前記撮像装置が前記爪を撮影する際に、前記爪を照明する照明装置と、
前記爪に印刷を施す印刷部と、
前記印刷部を移動させる移動機構と、
を備え、
前記撮像装置は、前記印刷部に固定されていて、前記移動機構による前記印刷部の移動に伴って前記印刷部と一体に移動することを特徴としている。
【手続補正２】
【補正対象書類名】明細書
【補正対象項目名】００１２
【補正方法】変更
【補正の内容】
【００１２】
また、本発明のネイルプリント装置の印刷制御方法は、
爪に印刷を施すネイルプリント装置の印刷制御方法であって、
前記ネイルプリント装置は、指を撮影する撮像装置と、前記撮像装置に対して一定の位置に設けられて前記指の爪を照明する照明装置と、前記爪に画像の印刷を施す印刷部と、前記印刷部を移動させる移動機構と、を備え、前記撮像装置は、前記印刷部に固定されていて、前記移動機構による前記印刷部の移動に伴って前記印刷部と一体に移動し、
前記移動機構により、前記撮像装置及び前記照明装置を、前記印刷部とともに、印刷する爪を含む一つの特定の指に対して予め設定された互いに異なる複数の方向となる複数の位置に移動させ、
前記複数の位置の各々で、前記照明装置は前記爪を照明し、前記撮像装置は、前記複数の方向から前記特定の指を撮影して、前記爪に対応する複数の爪画像を取得し、
前記複数の爪画像に基づいて、前記爪の形状に関する爪情報を検出し、
前記爪情報に基づいて印刷用データを生成し、前記移動機構により、前記印刷用データに応じて前記印刷部を移動させて、前記爪に画像を印刷することを特徴としている。
【手続補正３】
【補正対象書類名】特許請求の範囲
【補正対象項目名】全文
【補正方法】変更
【補正の内容】
【特許請求の範囲】
【請求項１】
爪に印刷を施すネイルプリント装置であって、
印刷する爪を含む一つの特定の指を、予め設定された互いに異なる複数の方向から撮影して、前記爪の形状に関する爪情報を検出するための、前記爪に対応する複数の爪画像を取得する撮像装置と、
前記撮像装置に対して一定の位置に設けられ、前記撮像装置が前記爪を撮影する際に、前記爪を照明する照明装置と、
前記爪に印刷を施す印刷部と、
前記印刷部を移動させる移動機構と、
を備え、
前記撮像装置は、前記印刷部に固定されていて、前記移動機構による前記印刷部の移動に伴って前記印刷部と一体に移動することを特徴とするネイルプリント装置。
【請求項２】
前記撮像装置が前記複数の爪画像を取得する前記複数の方向は、前記爪の真上となる第１の方向と、前記第１の方向から爪の幅方向の一方の側に傾斜した第２の方向と、を含むことを特徴とする請求項１に記載のネイルプリント装置。
【請求項３】
前記移動機構は、前記印刷部が前記印刷を施しておらず、前記撮像装置が前記複数の爪画像を取得するとき、前記印刷部を移動させることにより、前記撮像装置を、前記爪に対する方向が前記第１の方向となる第１の撮影位置と、前記爪に対する方向が前記第２の方向となる第２の撮影位置と、に移動させることを特徴とする請求項２に記載のネイルプリント装置。
【請求項４】
前記印刷部は、前記爪にインクを塗布する印刷ヘッドを有し、
前記印刷ヘッドのメンテナンスを行う印刷保守部を、更に有し、
前記移動機構は、前記印刷部が前記印刷を施していないときに前記印刷部を移動させることにより、前記撮像装置を前記爪に対する方向が前記複数の方向となる複数の撮影位置に移動させ、
前記撮像装置は前記複数の撮影位置の各々で前記撮影を行い、
前記撮像装置は、前記印刷部に対して、前記撮像装置が前記複数の撮影位置のうちの一つの特定の撮影位置にあるときに前記印刷ヘッドが前記印刷保守部の上に配置される位置に設けられており、
前記印刷保守部は、前記撮像装置が前記特定の撮影位置にあって前記印刷ヘッドが前記印刷保守部の上に配置されているときに、前記撮影装置における前記撮影の動作と併行して前記印刷ヘッドの前記メンテナンスを行うことを特徴とする請求項１に記載のネイルプリント装置。
【請求項５】
前記印刷部は、前記印刷ヘッドを支持するキャリッジを有し、
前記撮像装置は、前記キャリッジの側方に固定配置されていることを特徴とする請求項１に記載のネイルプリント装置。
【請求項６】
前記照明装置は、前記爪の長さ方向に沿って前記撮像装置を挟んで設けられた一対の光源のみを有し、
前記一対の光源は、前記撮像装置が前記爪を撮影する際に点灯されることを特徴とする請求項１に記載のネイルプリント装置。
【請求項７】
前記撮像装置が取得した前記複数の爪画像に基づいて、前記爪の輪郭形状と、前記爪の高さ及び前記爪の曲率の少なくとも何れか一方と、を前記爪情報として検出する爪情報検出部と、
前記爪情報に基づいて画像データを補正して、前記印刷用のデータを生成する印刷用データ生成部と、
をさらに備え、
前記印刷部は、前記爪に画像を印刷する際に、前記移動機構により前記印刷用データに応じて移動されることを特徴とする請求項１に記載のネイルプリント装置。
【請求項８】
前記印刷部は、前記爪にインクを塗布する印刷ヘッドを有し、
前記印刷ヘッドは、先端部が前記爪に接触したときに該爪にインクを塗布する、少なくとも一つの印字用具を有し、
前記印刷ヘッドは、前記爪に印刷を施す際に、前記印字用具の前記先端部を前記爪に接触させ、前記移動機構により前記撮影部が移動されて前記撮像装置が前記複数の爪画像を取得している際に、前記印字用具を、前記先端部が前記爪に接触しない位置に保持することを特徴とする請求項１に記載のネイルプリント装置。
【請求項９】
爪に印刷を施すネイルプリント装置の印刷制御方法であって、
前記ネイルプリント装置は、指を撮影する撮像装置と、前記撮像装置に対して一定の位置に設けられて前記指の爪を照明する照明装置と、前記爪に画像の印刷を施す印刷部と、前記印刷部を移動させる移動機構と、を備え、前記撮像装置は、前記印刷部に固定されていて、前記移動機構による前記印刷部の移動に伴って前記印刷部と一体に移動し、
前記移動機構により、前記撮像装置及び前記照明装置を、前記印刷部とともに、印刷する爪を含む一つの特定の指に対して予め設定された互いに異なる複数の方向となる複数の位置に移動させ、
前記複数の位置の各々で、前記照明装置は前記爪を照明し、前記撮像装置は、前記複数の方向から前記特定の指を撮影して、前記爪に対応する複数の爪画像を取得し、
前記複数の爪画像に基づいて、前記爪の形状に関する爪情報を検出し、
前記爪情報に基づいて印刷用データを生成し、前記移動機構により、前記印刷用データに応じて前記印刷部を移動させて、前記爪に画像を印刷することを特徴とするネイルプリント装置の印刷制御方法。
【請求項１０】
前記複数の方向は、前記爪の真上となる第１の方向と、前記第１の方向から爪の幅方向の一方の側に傾斜した第２の方向と、を含み、
前記移動機構は、前記印刷部が前記印刷部を施しておらず、前記撮像装置が前記複数の爪画像を取得するとき、前記印刷部を移動させて、前記撮像装置を、前記爪に対する方向が前記第１の方向となる第１の位置と、前記爪に対する方向が前記第２の方向となる第２の位置と、に移動させることを特徴とする請求項９に記載のネイルプリント装置の印刷制御方法。
【請求項１１】
前記印刷部は、前記爪にインクを塗布する印刷ヘッドを有し、
前記ネイルプリント装置は、前記印刷ヘッドのメンテナンスを行う印刷保守部を、更に有し、前記移動機構は、前記印刷部を移動させることにより、前記撮像装置を前記爪に対する方向が前記複数の方向となる複数の撮影位置に移動させ、前記撮像装置は、前記印刷部に対して、前記撮像装置が前記複数の撮影位置のうちの一つの特定の撮影位置にあるときに前記印刷ヘッドが前記印刷保守部の上に配置される位置に設けられており、
前記印刷部が前記印刷部を施していないときに、前記移動機構により前記印刷部を移動させて、前記撮像装置を前記複数の撮影位置の各々に移動させ、
前記複数の撮影位置の各々において前記撮像装置による前記撮影を行い、
前記撮像装置を前記特定の撮影位置に移動させて、前記印刷ヘッドが前記印刷保守部の上に配置されているときに、前記印刷保守部による前記印刷ヘッドのメンテナンスを前記撮影装置における前記撮影の動作と併行して行うことを特徴とする請求項９に記載のネイルプリント装置の印刷制御方法。
【請求項１２】
前記撮像装置が取得した前記複数の爪画像に基づいて、前記爪の輪郭形状と、前記爪の高さ及び前記爪の曲率の少なくとも何れか一方と、を前記爪情報として取得し、
前記爪情報に基づいて画像データを補正して、前記印刷用のデータを生成することを特徴とする請求項９に記載のネイルプリント装置の印刷制御方法。